(57)【要約】【課題】  飲料水の冷却及び／又は加熱の制御に関し、エネルギ損失を低減した飲料水供給装置を提供する。【解決手段】飲料水用容器（ガロンボトル６）から供給される飲料水（４）を溜める第１及び第２のタンク（冷水タンク１０、温水タンク４０）と、第１のタンクの飲料水を冷却する冷却手段（冷却装置２２）と、第２のタンク内の飲料水を加熱する加熱手段（温水ヒータ４２）と、第１のタンク内の飲料水の温度を検出する第１の温度検出手段（冷水センサ２０）と、第２のタンク内の飲料水の温度を検出する第２の温度検出手段（温水センサ５４）と、制御手段（制御装置６４）とを備え、通常運転の時間帯で第１の温度検出手段の検出温度に応じて冷却手段を動作させ、第１のタンクの飲料水を冷水設定温度に制御するとともに、第２の温度検出手段の検出温度に応じて加熱手段を動作させ、第２のタンクの飲料水を温水設定温度に制御する。【選択図】図１
2011096290.tif 000002
【特許請求の範囲】
【請求項１】
設置される飲料水用容器から供給される飲料水を溜める第１のタンクと、
前記第１のタンクの前記飲料水を冷却する冷却手段と、
前記飲料水用容器から供給される前記飲料水を溜める第２のタンクと、
前記第２のタンク内の前記飲料水を加熱する加熱手段と、
前記第１のタンク内の前記飲料水の温度を検出する第１の温度検出手段と、
前記第２のタンク内の前記飲料水の温度を検出する第２の温度検出手段と、
通常運転の時間帯と待機運転の時間帯とが設定され、前記通常運転の時間帯で前記第１の温度検出手段の検出温度に応じて前記冷却手段を動作させ、前記第１のタンクの前記飲料水を冷水設定温度に制御するとともに、前記第２の温度検出手段の検出温度に応じて前記加熱手段を動作させ、前記第２のタンクの前記飲料水を温水設定温度に制御する制御手段と、
を備えることを特徴とする、飲料水供給装置。
【請求項２】
前記待機運転の時間帯の前記温水設定温度は、通常運転時の時間帯の前記設定温度より常温に近い値に設定されたことを特徴とする、請求項１に記載の飲料水供給装置。
【請求項３】
強制温度変更スイッチを備え、前記制御手段は、該強制温度変更スイッチの操作に基づき、前記温水設定温度を高い又は低い値に変更して前記加熱手段の加熱温度を制御し、又は前記冷水設定温度を高い又は低い値に変更して前記冷却手段の冷却温度を制御することを特徴とする、請求項１または２に記載の飲料水供給装置。
【発明の詳細な説明】
【技術分野】
【０００１】
本発明は、ボトル単位で提供される飲料水を冷却又は加熱し、冷却された飲料水と加熱された飲料水とを単一装置で提供する飲料水供給装置に関する。
【背景技術】
【０００２】
ボトルで供給されるミネラルウォーター等の飲料水を冷却し、又は加熱して飲料水として提供する飲料水供給装置（ウォーターディスペンサー）が普及している。この飲料水供給装置は、事務所等での飲料供給だけでなく、一般家庭でも普及している。
【０００３】
このような飲料水供給装置に関し、特許文献１には、飲料水を冷却、加温する際、その凝固点又は沸騰点を見つけ、その近くで温度制御を行うことが開示されている。
【先行技術文献】
【特許文献】
【０００４】
【特許文献１】特開２０００−２２７９７５号公報（要約、図１等）
【発明の概要】
【発明が解決しようとする課題】
【０００５】
ところで、特許文献１には飲料水の冷却及び／又は加熱が装置の設置状況や飲料水の種類等に対応し自動的に凝固点及び沸騰点に近い温度に自動設定されて制御されることが開示されているが、自動設定される温度がユーザが期待する温度と異なる場合があるし、また、使用頻度が高い時間帯では斯かる制御が有効であるとしても、使用頻度の低い時間帯ではユーザの期待する温度に制御しても無駄となる場合も否定できない。
【０００６】
そこで、本発明の目的は、飲料水の冷却及び／又は加熱の制御に関し、エネルギ損失を低減した飲料水供給装置を提供することにある。
【０００７】
また、本発明の他の目的は、飲料水の冷却及び／又は加熱の制御に関し、使用頻度の低い時間帯のエネルギ損失を低減することにある。
【０００８】
また、本発明の他の目的は、飲料水の冷却及び／又は加熱の制御に関し、通常の高温や低温と異なる温度への対応を迅速化することにある。
【課題を解決するための手段】
【０００９】
上記目的を達成するため、本発明の飲料水供給装置は、設置される飲料水用容器から供給される飲料水を溜める第１のタンクと、前記第１のタンクの前記飲料水を冷却する冷却手段と、前記飲料水用容器から供給される前記飲料水を溜める第２のタンクと、前記第２のタンク内の前記飲料水を加熱する加熱手段と、前記第１のタンク内の前記飲料水の温度を検出する第１の温度検出手段と、前記第２のタンク内の前記飲料水の温度を検出する第２の温度検出手段と、通常運転の時間帯と待機運転の時間帯とが設定され、前記通常運転の時間帯で前記第１の温度検出手段の検出温度に応じて前記冷却手段を動作させ、前記第１のタンクの前記飲料水を冷水設定温度に制御するとともに、前記第２の温度検出手段の検出温度に応じて前記加熱手段を動作させ、前記第２のタンクの前記飲料水を温水設定温度に制御する制御手段とを備える。
【００１０】
上記目的を達成するためには、上記飲料水供給装置において、より好ましくは、前記待機運転の時間帯の前記温水設定温度は、通常運転時の時間帯の前記設定温度より常温に近い値に設定してもよい。
【００１１】
上記目的を達成するためには、上記飲料水供給装置において、より好ましくは、強制温度変更スイッチを備え、前記制御手段は、該強制温度変更スイッチの操作に基づき、前記温水設定温度を高い又は低い値に変更して前記加熱手段の加熱温度を制御し、又は前記冷水設定温度を高い又は低い値に変更して前記冷却手段の冷却温度を制御してもよい。
【発明の効果】
【００１２】
本発明によれば、次のいずれかの効果が得られる。
【００１３】
(1) 待機運転の時間帯には無用な加熱や冷却を防止できるので、省エネルギ化を図ることができる。
【００１４】
(2) 温水側の設定温度を常温に近づけるので、加熱エネルギを削減でき、省エネルギ化を図ることができる。
【００１５】
(3) ユーザが強制温度変更スイッチを操作するのみで、通常運転の設定温度より高い加熱温度や低い冷却温度の飲料水を供給できる。
【図面の簡単な説明】
【００１６】
【図１】第１の実施の形態に係る飲料水供給装置を示す図である。
【図２】飲料水の供給又は補充の原理を示す図である。
【図３】飲料水供給装置の外観を示す斜視図である。
【図４】飲料水供給装置の制御装置の構成例を示す図である。
【図５】飲料水供給装置の表示・操作部の一例を示す図である。
【図６】保温動作の処理手順の一例を示すフローチャートである。
【図７】省エネ保温動作の処理手順の一例を示すフローチャートである。
【図８】第２の実施の形態に係る飲料水供給装置を示す図である。
【発明を実施するための形態】
【００１７】
〔第１の実施の形態〕
【００１８】
本発明の飲料水供給装置の第１の実施の形態について、図１、図２及び図３を参照する。図１は、第１の実施の形態に係る飲料水供給装置の概略を示す図、図２は、ガロンボトルの飲料水供給のメカニズムを示す図、図３は、その外観構成の一例を示す図である。
【００１９】
この飲料水供給装置２の筐体３の上部には、飲料水４が入ったボトルとして例えば、ガロンボトル６が設置され、ガロンボトル６にある飲料水４は受水口８から第１のタンクである冷水タンク１０に供給される。この冷水タンク１０内の飲料水４はガロンボトル６の開口部１２に接する水位Ｌｒ（図２）まで満たされる。水位Ｌｘ（図２）のように開口部１２より下回ると、空気Ａが開口部１２より冷水タンク１０を通してガロンボトル６内に入る。空気Ａの侵入に伴い、ガロンボトル６から飲料水４が矢印Ｂに示すように、冷水タンク１０に供給され、その水位が上昇し、開口部１２が塞がると、ガロンボトル６からの飲料水４の落下が停止される。このため、冷水タンク１０には飲料水４の消費に応じてガロンボトル６から飲料水４が供給されることになる。
【００２０】
冷水タンク１０には分離板１６が設置され、冷水タンク１０にある飲料水４は分離板１６によって上層部と下層部とに仕切られる。冷水タンク１０には冷却手段として例えば、蒸発器１８が設置され、この蒸発器１８は分離板１６によって仕切られた下層部側に設置されているので、その下層部側の飲料水４が冷却される。冷水タンク１０には第１の温度検出手段である冷水センサ２０が設置され、冷水タンク１０の飲料水４の温度が冷水センサ２０により検出される。この冷水センサ２０には例えば、サーミスタ温度計が用いられる。蒸発器１８には筐体３の底部に設置された冷却装置２２が接続され、この冷却装置２２には圧縮機２４、乾燥器２６、凝縮器２８が冷媒管３０によって連結され、この冷媒管３０の中途部にはキャピラリーチューブ３２が設置されている。
【００２１】
冷水タンク１０の底部には冷水供給管３４が接続され、この冷水供給管３４には冷水電磁弁３６が設置されており、冷水電磁弁３６が開かれると、冷水タンク１０から冷却された飲料水４が冷水供給口３８から供給される。
【００２２】
冷水タンク１０の下部には第２のタンクである温水タンク４０が設置されている。この温水タンク４０には加熱手段として温水ヒータ４２が設置され、この温水ヒータ４２によって温水タンク４０内の飲料水４が加熱される。
【００２３】
温水タンク４０には、分離板１６の中央上面に開口部４４を持つ給水管４６が冷水タンク１０を通過させて設置されている。即ち、給水管４６は、分離板１６の中央上面から温水タンク４０の底部側に延びている。温水タンク４０の上部には温水供給管４８が接続され、この温水供給管４８には温水電磁弁５０が設置されており、この温水電磁弁５０が開かれたとき、温水タンク４０内の飲料水４が温水供給口５２から取り出される。この温水供給口５２から取り出された分の飲料水４が給水管４６を通して冷水タンク１０から温水タンク４０に供給される。冷水タンク１０の水位低下分の飲料水４が既述の通りガロンボトル６から供給される。
【００２４】
温水タンク４０には第２の温度検出手段である温水センサ５４が設置され、飲料水４の温度が温水センサ５４により検出される。この温水センサ５４には例えば、サーミスタ温度計が用いられる。温水タンク４０の底部には排水管５６が接続されており、この排水管５６は排水栓５８によって開閉される。
【００２５】
また、冷水タンク１０の底部と温水タンク４０の上部との間には、給水管４６と並行にバイパス管６０が接続され、このバイパス管６０はバイパス弁６２によって開閉される。このバイパス管６０はバイパス弁６２が開放された際、温水タンク４０内の加熱された飲料水４を冷水タンク１０に循環させる循環通路であって、この循環通路とのショートサイクルを防止するために、給水管４６の開口部４４が分離板１６の上方に開口され、バイパス管６０が冷水タンク１０の底部に開口されている。循環流水の流れ方向は一方通行とは限らない。
【００２６】
この飲料水供給装置２には制御手段として制御装置６４が設置され、この制御装置６４には表示・操作部及び制御部が設置され、冷水センサ２０、温水センサ５４等の検出情報が取り込まれ、冷却制御、加熱制御、省エネ制御等の各種制御が行われる。
【００２７】
この飲料水供給装置２は、図３に示すように、筐体３の上部にガロンボトル６の載置部６６が形成され、その下側に表示・操作部６８が設置されており、その下部には給水窓部７０が開口され、その内部に冷水供給口３８及び温水供給口５２が設置されている。これら冷水供給口３８及び温水供給口５２の下側にはカップを載せる載置部７２が形成されている。
【００２８】
次に、制御装置６４について、図４を参照する。図４は、制御装置の構成例を示す図である。図４において、図１と同一部分には同一符号を付してある。
【００２９】
制御装置６４には、電源７４が接続されて給電されているとともに、マイクロコンピュータ等からなる制御部７６とともに表示・操作部６８が設置されている。制御部７６には、プロセッサ７８、Ｉ／Ｏ部８０、記憶部８２、タイマー８４等が設置され、これらはバス８６を介して接続されている。表示・操作部６８は、キースイッチ等により操作入力が加えられ、制御装置６４の制御出力が表示され、また、ブザー等の音による報知を行える。
【００３０】
プロセッサ７８はＣＰＵ（Central Processing Unit ）又はＭＰＵ（Micro Processor Unit）で構成され、記憶部８２に格納されているＯＳ（Operating System）や動作プログラムを実行する。Ｉ／Ｏ部８０は、制御部７６の入出力のインターフェースであって、表示・操作部６８が接続されて表示出力が得られるとともに、入力信号の取込みが行われ、さらには、冷水センサ２０、温水センサ５４から検出信号が取り込まれ、圧縮機２４、冷水電磁弁３６、温水ヒータ４２、温水電磁弁５０、バイパス弁６２の制御信号が得られる。
【００３１】
記憶部８２は、プログラム記憶部やＲＡＭ（Random-Access Memory）等を備え、プロセッサ７８に実行させるＯＳや動作プログラム、設定値及び各種データ等を格納し、ＲＡＭに展開された動作プログラムによって演算処理や制御処理が実行される。タイマー８４は計時手段であって、制御に必要となる時間計測が実行される。
【００３２】
次に、表示・操作部について、図５を参照する。図５のＡは、表示・操作部の一例であるパネル部の構成を示す図、図５のＢは、表示部の一例を示す図である。図５において、図３、図４と同一部分には同一符号を付してある。
【００３３】
この表示・操作部６８には、図５のＡに示すように、時刻等を表示する表示部８８、値を加算するための加算スイッチ（ＳＷ）９０、値を減算するための減算スイッチ（ＳＷ）９２、設定モードへの切替えやその解除を行うための設定モード切替スイッチ（ＳＷ）９４、省エネモードへの切替えやその解除を行うための省エネスイッチ（ＳＷ）９６、タイマー８４や時刻を調整するためのタイマー／時計スイッチ（ＳＷ）９８、スタート又はストップを行うためのスタート／ストップスイッチ（ＳＷ）１００、自動高温水循環モードであることを表示する自動高温水循環モード表示部１０２、強制温度変更スイッチの一例として通常運転とは異なる高温設定の指令又はその解除を行うための高温設定スイッチ（ＳＷ）１０４、強制温度変更スイッチの一例として通常運転とは異なる冷水設定の指令又はその解除を行うための冷水設定スイッチ（ＳＷ）１０６、給湯を指令するための給湯スイッチ（ＳＷ）１０８、給水を指令するための給水スイッチ（ＳＷ）１１０、給湯ＳＷ１０８及び給水ＳＷ１１０のロック解除を指令するためのロック解除スイッチ（ＳＷ）１１２、が設置されている。また、高温設定スイッチ１０４の近傍には、通常運転時の設定温度例えば、８５〔℃〕であることを点灯によって表示する通常温度表示部１１４、強制高温時に点灯によって表示する高温表示部１１６が設置され、これらはＬＥＤ（Light Emitting Diode）等のランプで構成されている。冷水設定スイッチ１０６の近傍には、第１の冷水設定温度例えば、８〔℃〕であることを点灯によって表示する温度表示部１１８、第２の冷水設定温度例えば、１２〔℃〕であることを点灯によって表示する温度表示部１２０が設置され、これらもＬＥＤ等のランプで構成されている。
【００３４】
表示部８８には、図５のＢに示すように、時計・タイマー時間表示部８８２、タイマー表示部８８４、ステージ表示部８８６、８８８、開始表示部８９０、終了表示部８９２が設定されている。
【００３５】
次に、制御装置６４の制御内容について説明する。
【００３６】
Ａ  初期状態
【００３７】
電源投入時、飲料水４を冷水化する冷却装置２２をＯＮ状態（設定温度：８〔℃〕）、飲料水４を温水化する温水ヒータ４２に対する給電制御（例えば、ＯＮ／ＯＦＦ制御）をＯＦＦ状態にする。なお、温水ヒータ４２の給電制御がＯＮのとき、温水ヒータ４２のＯＮ／ＯＦＦにより加熱調節が可能となり、ＯＦＦのときは温水ヒータ４２は常にＯＦＦとなる。この場合、給湯を優先させるため、ロック解除ＳＷ１１２、給湯ＳＷ１０８の操作を受け付ける。初期エアー抜き使用の場合である。但し、温水ヒータ４２に対する給電制御がＯＦＦ状態での上記内容は、温水センサ５４の検出温度即ち、温水温度ＴＨｈが例えば、４０〔℃〕以下の場合とする。
【００３８】
表示部８８の時計表示では、時と分とが“−−：−−”の点滅表示によって表示され、加算ＳＷ９０、減算ＳＷ９２、設定モード切替ＳＷ９４の押下により、その時刻を確定させる。
【００３９】
温水ヒータ４２の給電制御はスタート／ストップＳＷ１００の例えば、長押しによって実行され、給電制御（温水ヒータ４２のＯＮ／ＯＦＦ制御）のＯＦＦ状態で長押しの時間として例えば、２〔秒〕押下することにより、ＯＮ動作の設定温度として例えば、８５〔℃〕設定となり、ＯＮ状態で長押し時間として例えば、２〔秒〕押下すると、ＯＦＦ状態となる。但し、サーミスタの自己発熱の特性を利用し、水の有無を判断し、温水ヒータ４２の給電制御のＯＮ／ＯＦＦを動作するようにすることもできる。
【００４０】
温水ヒータ４２の給電制御をＯＦＦ状態からＯＮ状態に移行させると、省エネモードはＯＦＦ状態になる。停電状態から給電状態への復帰時も同上の制御を行う。但し、省エネモードの時刻設定がされていた場合は、時間を記憶部８２に記憶する。
【００４１】
時刻の設定方法は時計表示モードによって実行され、また、省エネモードの時刻設定方法は省エネ時刻設定モードによって実行される。
【００４２】
Ｂ  給水動作
【００４３】
給水ＳＷ１１０を押下許可状態（ロック解除）にて連続して押下すると、冷水電磁弁３６が開に制御され、給水が行われる。この冷水電磁弁３６は、給水ＳＷ１１０を押している間のみ開状態に制御され、この給水ＳＷ１１０が押されている間、給湯ＳＷ１０８の操作を受け付けない。給水と給湯とを同時に行わないため、安全性が確保される。
【００４４】
Ｃ  冷水切換え動作
【００４５】
冷水設定ＳＷ１０６を連続して押下すると、冷水温度の設定が変更される。例えば、押下を連続すると、設定温度が８〔℃〕→１２〔℃〕→８〔℃〕→・・・のように変更される。
【００４６】
Ｄ  ロック解除動作
【００４７】
ロック解除ＳＷ１１２を押下すると、給湯ＳＷ１０８及び給水ＳＷ１１０のロックが解除され、その押下が許可される。このとき、ロック解除ＳＷ１１２上に設定されたロック解除表示部１２２が例えば、赤色点灯し、ロック解除状態であることが表示される。このロック解除状態は有限であり、例えば、１０秒間の間に給湯ＳＷ１０８の操作がなかった場合にはロック解除を無効とし、ロック解除表示部１２２を消灯させ、ロック状態であることを表示する。
【００４８】
ロック解除中、再度、ロック解除ＳＷ１１２を押下すると、ロック解除が無効となり、ロック解除表示部１２２が赤色点灯から消灯となり、ロック状態に移行する。
【００４９】
ロック解除中、給湯ＳＷ１０８又は給水ＳＷ１１０が押下されると、給湯ＳＷ１０８又は給水ＳＷ１１０のＯＦＦから１０秒後にロック解除機能は無効となり、ロック解除表示部１２２は消灯する。
【００５０】
Ｅ  給湯動作
【００５１】
給湯ＳＷ１０８が押下許可状態（ロック解除）にて、連続して押下されると、温水電磁弁５０が開に制御され、給湯が行われる。温水電磁弁５０は、給湯ＳＷ１０８が連続して押下されている間、開状態となる。給湯ＳＷ１０８が押下されている間は、給水ＳＷ１１０の押下は受け付けない。即ち、給湯ＳＷ１０８と給水ＳＷ１１０とは先押し優先処理を行う。
【００５２】
Ｆ  高温設定動作
【００５３】
高温設定ＳＷ１０４は、温水ヒータ４２に対する給電制御がＯＮ状態にて押下されることにより、その押下の１回のみの操作によって所定高温度例えば、９３〔℃〕まで沸き上げる。この沸き上げ後、温水温度が所定温度例えば、９０〔℃〕までは高温設定の適温範囲とする。その後、所定温度として例えば、８５〔℃〕の温度設定となる。その沸き上げ中では、高温表示部１１６を橙色に点灯させるとともに、沸き上げ完了温度として例えば、９３〔℃〕に到達させ、その到達時点で報知手段であるブザー８５を所定時間として例えば、１０秒間報知させ、高温表示部１１６を緑色に点灯させるとともに、温水ヒータ４２に対する給電制御をＯＦＦ状態に移行させ、高温適温範囲（〜９０〔℃〕）にある場合、高温表示部１１６を点灯させる。
【００５４】
高温沸き上げ中、高温設定ＳＷ１０４の押下があった場合には高温沸き上げ動作を中止する。また、沸き上げ後、温水ヒータ４２に対する給電をＯＦＦ状態にし、再度、高温設定ＳＷ１０４の押下があった場合、所定温度として既述の高温度である９３〔℃〕まで沸き上げる。この場合、温水温度が９３〔℃〕未満、９０〔℃〕以上の場合でも、高温表示部１１６の橙色点灯とする。また、沸き上げ後、適温範囲（９０〔℃〕）未満で８５〔℃〕以上の場合には、通常温度表示部１１４を緑色点灯させ、８５〔℃〕の適温範囲であることを表示する。
【００５５】
Ｇ  省エネ動作
【００５６】
温水ヒータ４２に対する給電制御がＯＦＦ状態の場合には省エネＳＷ９６の押下を受け付けない。温水ヒータ４２に対する給電制御がＯＮ状態で省エネＳＷ９６が押下されると、省エネモードとなり、省エネ表示部１２４が橙色点灯し、省エネモードの実行中であることを表示する。省エネモード時、省エネＳＷ９６を押下すると、省エネモード解除となり、省エネ表示部１２４が消灯する。なお、省エネモードが実行中で、且つ時刻が省エネ時間帯の場合は省エネが実施され、省エネ表示部１２４は緑色となる。
【００５７】
Ｈ  タイマー／時計動作
【００５８】
時計表示状態において、タイマー／時計ＳＷ９８が押下されると、その表示がタイマー表示となり、タイマーモードに移行する。タイマーモードにおいて、タイマー／時計ＳＷ９８が押下されると、表示が時計表示となる。但し、タイマー８４がカウントダウンしている場合には、カウントダウンは継続される。
【００５９】
Ｉ  加算動作、減算動作、スタート／ストップ動作、設定動作
【００６０】
時刻変更モード中及びタイマー表示切り替え時、加算ＳＷ９０、減算ＳＷ９２が連続して押下されると、時刻及びタイマーの時間が変更される。
【００６１】
タイマー表示（待機）中、スタート／ストップＳＷ１００が押下されると、タイマー８４がスタートとなる。タイマー８４のカウントダウン中、スタート／ストップＳＷ１００が押下されると、カウントダウン停止となり、再度の押下により、カウントダウンが再スタートされる。
【００６２】
設定モード切替ＳＷ９４が押下されると、時刻設定時の確定及び省エネモードの開始、開始後の押下はそれらの終了となり、押下に応じた切替えが行われる。
【００６３】
Ｊ  時計表示
【００６４】
電源７４のＯＮ状態により時計表示が生起し、タイマー／時計ＳＷ９８の連続押下で時刻設定モードとなる。時計表示が点滅状態となり、この状態で加算ＳＷ９０又は減算ＳＷ９２にて表示が変更され、設定モード切替ＳＷ９４の押下、又は所定時間の経過例えば、１０秒間の操作なし状態の継続により、その設定を確定させる。時刻設定モード中、加算ＳＷ９０を押下すると、12：01→12：02→12：03・・・、さらに連続押しで12：10→12：20→12：30・・・13：00→13：30→14：00・・・15：00→16：00に表示が変更される。時刻設定モード中、減算ＳＷ９２を押下すると、11：59→11：58→11：57・・・、連続押下で11：50→11：40→11：30・・・11：00→10：30→10：00・・・9 ：00→8 ：00となる。
【００６５】
Ｋ  タイマー機能
【００６６】
タイマー／時計ＳＷ９８が押下されると、表示部８８がタイマー表示となる。時計表示では、時、分だが、タイマー表示は、分、秒となる。この場合、初期設定は、３．００である。タイマー時間の最大は例えば、６０〔分〕であり、タイマー表示（待機）中、加算ＳＷ９０、減算ＳＷ９２を押下することにより、分表示が変更される。加算ＳＷ９０を押下すると、3 →3.30→4 →4.30→5 →・・・10→11となり、以降は連続的に最長時間として例えば、最大６０〔分〕まで変わり、時計と同様である。また、減算ＳＷ９２を押下すると、3 →2.30→2 →1.30→1 →0.30→00となる。スタート／ストップＳＷ１００を押下すると、タイマー８４がカウントダウンする。カウントダウン中でも、加算ＳＷ９０、減算ＳＷ９２を押下することで分表示の変更が可能である。タイマー８４が 0：00に移行したとき、ブザー８５を所定時間例えば、１０秒間鳴動させる。
【００６７】
Ｌ  省エネ時間設定
【００６８】
省エネ時間は例えば、２ステージまで設定可能とする。時間の設定方法は時刻設定と同様である。第１のステージ又は第２のステージが設定されていれば、省エネモードとなる。
【００６９】
(1) 時計表示状態及び温水ヒータ４２に対する給電制御をＯＮ状態にて、省エネＳＷ９６を押下すると、表示部８８には第１のステージを表す「ステージ１」及び「開始」が表示される。例えば、初回は、時刻表示を“−−：−−”とし、２回目以降は、現在設定時刻とすればよい。
【００７０】
この状態にて、設定モード切替ＳＷ９４を押下すると、表示部８８には「ステ−ジ１」及び「終了」の表示から、第２のステージを表す「ステージ２」及び「開始」、「ステージ２」及び「終了」に移行する。
【００７１】
(2) 加算ＳＷ９０又は減算ＳＷ９２を押下することにより時刻設定ができ、操作は時刻設定と同様である。
【００７２】
(3) 設定モード切替ＳＷ９４を押下することにより設定内容が確定される。各操作中にスイッチ操作がない状態又は操作終了後、１０秒後に時計表示に戻る。また、設定をキャンセル（クリアー）したい場合は、キャンセルしたいステージ（開始又は終了のどちらでも可）に設定モード切替ＳＷ９４で合わせ、加算ＳＷ９０、減算ＳＷ９２を同時押しする。このとき、表示は“−−：−−”となり、設定モード切替ＳＷ９４を押下すれば、その内容を確定させることができる。
【００７３】
次に、この飲料水供給装置の制御動作について、図６及び図７を参照する。図６は、制御動作における処理手順を示すフローチャート、図７は、サブルーチンである省エネ保温の処理手順を示すフローチャートである。
【００７４】
この処理手順は、電源の投入による装置の初期設定等の設定処理の後、冷却及び加熱の保温動作の制御手順であって、この処理手順は、他のキー操作等の制御と並列に行われ、基本的に電源が入っている間、繰り返し実行される。
【００７５】
この処理手順では、通常運転の時間帯の制御と、待機運転として省エネ保温制御とが含まれている。通常運転の時間帯では、温水温度ＴＨｈ（温水センサ５４の検出温度）の通常温水温度Ｔｎ、その下限温度Ｔｎ１、上限温度Ｔｎ２及び通常温水温度範囲ΔＴｎ（＝Ｔｎ２〜Ｔｎ１）が設定され、下限温度Ｔｎ１として例えば、Ｔｎ１＝８５〔℃〕、上限温度Ｔｎ２として例えば、Ｔｎ２＝８７〔℃〕が設定され、この場合、通常温水温度範囲ΔＴｎ（＝Ｔｎ２〜Ｔｎ１＝８７〔℃〕〜８５〔℃〕）の範囲で温度制御が行われる。通常運転の時間帯においても、高温設定された場合には、温水温度ＴＨｈの上限温度Ｔｈとして例えば、Ｔｈ＝９３〔℃〕が設定され、この上限温度９３〔℃〕に制御される。
【００７６】
また、通常運転の時間帯の冷水温度ＴＨｃ（冷水センサ２０の検出温度）には、第１の冷水温度ＴＬａと第２の冷水温度ＴＬｂが設定され、冷水温度ＴＬａとして例えば、ＴＬａ＝８〔℃〕、冷水温度ＴＬｂとして例えば、ＴＬｂ＝１２〔℃〕が設定される。ＴＬａ＝８〔℃〕設定の場合には、下限温度Ｔａ１として例えば、Ｔａ１＝７〔℃〕、上限温度Ｔａ２として例えば、Ｔａ２＝９〔℃〕が設定される。また、ＴＬｂ＝１２〔℃〕設定の場合には、下限温度Ｔｂ１として例えば、Ｔｂ１＝１１〔℃〕、上限温度Ｔｂ２として例えば、Ｔｂ２＝１４〔℃〕が設定されている。また、冷却動作を開始又は終了させるための時間条件として、冷却動作開始には冷却停止後からの経過時間ＴＣ１として例えば、ＴＣ１＝５〔分〕、冷却動作終了には冷却開始後からの経過時間ＴＣ２として例えば、ＴＣ２＝５〔分〕間が設定されている。
【００７７】
待機運転としての省エネ保温動作の時間帯では、温水の場合の設定温度も冷水の場合の設定温度の何れも常温に近い温度が設定され、電力消費を低減させている。即ち、温水側省エネ時の温水温度ＴＨｈに対して省エネ温水温度Ｔｈｅ、その下限温度Ｔｅ１及びその上限温度Ｔｅ２が設定され、下限温度Ｔｅ１は例えば、Ｔｅ１＝６５〔℃〕、上限温度Ｔｅ２＝６７〔℃〕が設定され、温水側省エネ時間ＴＥ以外の時間帯では、温水温度Ｔｎ、その下限温度Ｔｎ１、その上限温度Ｔｎ２が設定され、下限温度Ｔｎ１は例えば、Ｔｎ１＝８５〔℃〕、上限温度Ｔｎ２は例えば、Ｔｎ２＝８７〔℃〕が設定される。
【００７８】
また、省エネ保温動作の時間帯では、冷水側省エネ時の冷水温度ＴＨｃに対して省エネ冷水温度Ｔｃｅ、その上限温度Ｔｃｅ２、その下限温度Ｔｃｅ１が設定され、その上限温度Ｔｃｅ２は例えば、Ｔｃｅ２＝１４〔℃〕、その下限温度Ｔｃｅ１は例えば、Ｔｃｅ１＝１１〔℃〕に設定され、省エネ以外の保温動作では、冷水温度ＴＨｃに対して上限温度Ｔｃ２、その下限温度Ｔｃ１が設定され、上限温度Ｔｃ２は例えば、Ｔｃ２＝８〔℃〕、下限温度Ｔｃ１は例えば、Ｔｃ１＝７〔℃〕に設定され、これらの範囲で制御される。
【００７９】
そこで、省エネモードが指定され、現在時刻が省エネモード時間帯である場合には（ステップＳ１）、省エネ保温動作が実行され（ステップＳ１０）、そうでない場合は、通常使用時間帯と判断し、通常時間帯としての保温動作が行われる。
【００８０】
この処理手順をステップ順に説明すると、図６に示すように、保温動作が開始されると、省エネ時間であるか否かが判断され（ステップＳ１）、省エネ時間でない場合には、温水温度ＴＨｈが所定温度例えば、８５〔℃〕未満であるか否かが判断され（ステップＳ２）、８５〔℃〕を超えている場合には、高温設定されているか否かが判断され（ステップＳ３）、高温設定されていなければ、温水温度ＴＨｈが所定高温度例えば、８７〔℃〕以上であるか否かが判断され（ステップＳ４）、８７〔℃〕以上である場合には、温水ヒータ４２に対する給電をＯＦＦ状態にする（ステップＳ５）。ステップＳ２において、温水温度ＴＨｈが８５〔℃〕未満である場合には、温水ヒータ４２に対する給電をＯＮにし（ステップＳ９）、また、ステップＳ３において、高温設定である場合には、温水温度ＴＨｈが所定高温度例えば、９３〔℃〕以上であるか否かを判断し（ステップＳ６）、９３〔℃〕以上であれば、温水ヒータ４２に対する給電をＯＦＦにし（ステップＳ７）、高温設定を終了させ（ステップＳ８）、また、ステップＳ６において、温水温度ＴＨｈが９３〔℃〕未満である場合には、温水ヒータ４２に対する給電をＯＮにする（ステップＳ９）。
【００８１】
このような温水ヒータ４２の給電制御において、省エネ時間設定が実行される場合には、省エネ保温が実行される（ステップＳ１０）。
【００８２】
このような温水側の制御に対し、飲料水４の冷却制御では、冷水温度設定が所定温度例えば、８〔℃〕であるか否かを判断し（ステップＳ１１）、８〔℃〕である場合には、冷水温度ＴＨｃが所定温度例えば、９〔℃〕を超えているか否かを判断し（ステップＳ１２）、冷水温度ＴＨｃが９〔℃〕を超えている場合には、冷却中であるか否かを判断し（ステップＳ１３）、冷却中でなければ、冷却停止後、所定時間例えば、５分以上経過しているか否かを判断し（ステップＳ１４）、この場合、５分以上が経過していれば、冷却を開始させる（ステップＳ１５）。
【００８３】
ステップＳ１２において、冷水温度ＴＨｃが９〔℃〕以下である場合には、冷水温度ＴＨｃが所定温度例えば、７〔℃〕以下であるか否かを判断し（ステップＳ１６）、７〔℃〕以下である場合には、冷却中であるか否かを判断し（ステップＳ１７）、冷却中であれば、冷却開始後、所定時間例えば、５分以上経過しているか否かを判断し（ステップＳ１８）、この場合、５分以上が経過していれば、冷却を停止させる（ステップＳ１９）。
【００８４】
また、ステップＳ１１において、冷水温度設定が８〔℃〕でなければ、冷水温度ＴＨｃが所定温度例えば、１４〔℃〕を超えているか否かを判断し（ステップＳ２０）、冷水温度ＴＨｃが所定温度例えば、１４〔℃〕を超えていれば、冷却中であるか否かを判断し（ステップＳ２１）、冷却中でなければ、冷却停止後、所定時間例えば、５分以上経過しているか否かを判断し（ステップＳ２２）、この場合、５分以上が経過していれば、冷却を開始させる（ステップＳ２３）。
【００８５】
ステップＳ２０において、冷水温度ＴＨｃが所定温度例えば、１１〔℃〕以下であるか否かを判断し（ステップＳ２４）、１１〔℃〕以下であれば、冷却中であるか否かを判断し（ステップＳ２５）、冷却中であれば、冷却開始後、所定時間例えば、５分以上経過しているか否かを判断し（ステップＳ２６）、この場合、５分以上が経過していれば、冷却を停止させる（ステップＳ２７）。
【００８６】
この保温動作において、省エネ時間中は、省エネ保温動作（ステップＳ１０）の詳細である図７に示すように、省エネ動作が実行される。この処理手順を総括的に説明すると、温水は６５〔℃〕〜６７〔℃〕で保温され（ステップＳ１０２〜ステップＳ１０５）、冷水は１１〔℃〕〜１４〔℃〕で保温される（ステップＳ１１１〜ステップＳ１１７）。
【００８７】
また、省エネ時間終了時、すぐに使用可能となるよう、省エネ時間終了前に通常の保温温度に制御が移行する（ステップＳ１０６〜ステップＳ１０９）。温水側の場合、所定温度例えば６５〔℃〕の温水を８５〔℃〕に上げるのに必要な時間をＸ分とすると、終了時間のＸ分前から通常の保温温度になるように制御を開始する（ステップＳ１０１の判断）。冷水側の場合も同様に例えば１２〔℃〕の冷水を８〔℃〕に下げるのに必要な時間をＹ分とすると、終了時間のＹ分前から（ステップＳ１１０の判断）８〔℃〕の保温温度になるように制御を開始する（ステップＳ１１９〜ステップＳ１２６）。なお、冷水側の設定温度が１２〔℃〕の場合（ステップＳ１１８）は通常も省エネモード中も同じ温度制御により１１〔℃〕〜１４〔℃〕に保たれる（ステップＳ１１１〜ステップＳ１１７）。また、ここでは、それぞれの時間をＸ分、Ｙ分としたが、実際の制御実績により時間補正を行ってもよい。
【００８８】
そこで、処理手順をステップ順に説明すると、温水側省エネ終了準備時間が到来しているか否かを判断し（ステップＳ１０１）、その時間が到来していなければ、温水温度ＴＨｈが所定温度例えば、６５〔℃〕未満であるか否かが判断され（ステップＳ１０２）、６５〔℃〕未満でなければ、その温水温度ＴＨｈが所定温度例えば、６７〔℃〕以上であるか否かが判断され（ステップＳ１０３）、６７〔℃〕以上である場合には、温水ヒータ４２の給電をＯＦＦとし（ステップＳ１０４）、また、ステップＳ１０２において、温水温度ＴＨｈが６５〔℃〕未満である場合には、温水ヒータ４２の給電をＯＮとする（ステップＳ１０５）。また、ステップＳ１０１において、温水側省エネ終了準備時間が到来した場合には、温水温度ＴＨｈが所定温度例えば、８５〔℃〕未満であるか否かが判断され（ステップＳ１０６）、８５〔℃〕未満でなければ、温水温度ＴＨｈが所定温度例えば、８７〔℃〕以上であるか否かが判断され（ステップＳ１０７）、８７〔℃〕以上である場合には、温水ヒータ４２の給電をＯＦＦとし（ステップＳ１０８）、また、ステップＳ１０６において、温水温度ＴＨｈが８５〔℃〕未満である場合には、温水ヒータ４２に対する給電をＯＮとする（ステップＳ１０９）。
【００８９】
次に、冷水側省エネ終了準備時間が到来しているか否かを判定し（ステップＳ１１０）、冷水側省エネ終了準備時間が到達していない場合には、冷水温度ＴＨｃが所定温度例えば、１４〔℃〕を超えているか否かを判定し（ステップＳ１１１）、冷水温度ＴＨｃが１４〔℃〕を超えている場合には、冷却中であるか否かを判定し（ステップＳ１１２）、冷却中でなければ、冷却動作停止後の所定経過時間例えば、５分以上経過しているか否かを判定し（ステップＳ１１３）、冷却動作停止後５分以上が経過している場合には、冷却動作を開始し（ステップＳ１１４）、ステップＳ１（図６）に戻る。
【００９０】
ステップＳ１１１において、冷水温度ＴＨｃが１４〔℃〕以下である場合には、冷水温度ＴＨｃが所定冷水温度例えば、１１〔℃〕以下であるか否かを判定し（ステップＳ１１５）、冷水温度ＴＨｃが１１〔℃〕以下である場合には、冷却中であるか否かを判定し（ステップＳ１１６）、冷却中であれば、冷却開始後所定時間例えば、５分以上経過しているか否かを判定し（ステップＳ１１７）、冷却開始後５分以上が経過していれば、冷却を停止し（ステップＳ１１８）、ステップＳ１（図６）に戻る。
【００９１】
ところで、ステップＳ１１０において、冷水側省エネ終了準備時間が経過していれば、冷水設定温度が８〔℃〕であるか否かを判定し（ステップＳ１１９）、冷水設定温度が８〔℃〕であれば、冷水温度ＴＨｃが９〔℃〕を超えているか否かを判定し（ステップＳ１２０）、冷水温度が９〔℃〕を超えていれば、冷却中であるか否かを判定し（ステップＳ１２１）、冷却中でなければ冷却停止後、５分以上が経過しているか否かを判定し（ステップＳ１２２）、冷却停止後５分以上が経過していれば、冷却を開始し（ステップＳ１２３）、ステップＳ１（図６）に戻る。
【００９２】
ステップＳ１２０において、冷水温度ＴＨｃが９〔℃〕以下であれば、冷水温度ＴＨｃが７〔℃〕以下であるか否かを判定し（ステップＳ１２４）、冷水温度ＴＨｃが７〔℃〕以下であれば、冷却中であるか否かを判定し（ステップＳ１２５）、冷却中であれば、冷却開始後５分以上経過しているか否かを判定し（ステップＳ１２６）、冷却開始後５分以上経過していれば、冷却を停止し（ステップＳ１２７）、ステップＳ１（図６）に戻る。
【００９３】
〔第２の実施の形態〕
【００９４】
次に、第２の実施の形態について、図８を参照する。図８は、第２の実施の形態に係る飲料水供給装置の一部を示す図である。図８において、図１と同一部分には同一符号を付してある。
【００９５】
第１の実施の形態では、飲料水４がガロンボトル６によって供給される場合を説明したが、第２の実施の形態では、飲料水４がバックインボックス１３０から供給される構成としたものである。
【００９６】
バックインボックス１３０は飲料水４が入ったビニール等のバッグ１３２がダンボール等の筐体１３４に収められており、飲料水４の消費とともにバッグ１３２が収縮する構成である。バックインボックス１３０は筐体３の上部に設置され、バックインボックス１３０側の給水管部１３６が冷水タンク１０側の給水管１３８に継手１４０によって連結されている。給水管部１３６にある給水栓１４２を開くと、バッグ１３２の飲料水４が冷水タンク１０内の蓋１４３に開放された給水口１４４から冷水タンク１０内に供給され、冷水タンク１０は、空気取出口１４６の水位まで飲料水４で満たされる。
【００９７】
このような構成によっても、ガロンボトル６と同様に、所定水位に冷水タンク１０及び温水タンク４０を飲料水４で満たすことができ、冷水及び温水を供給することができる。      
【００９８】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００９９】
本発明は、飲料水の冷却及び／又は加熱の制御に関し、ユーザが要求する適温への制御とともに、エネルギ損失を低減した飲料水供給装置を提供するものであり、通常運転の時間帯と待機運転の時間帯とにより、第１のタンク側の設定温度の値、第２のタンク側の設定温度の値を変更し、第１のタンクの飲料水の冷却温度、第２のタンクの飲料水の加熱温度を制御するので、通常運転の時間帯にはユーザが必要とする温度の飲料水を供給でき、待機運転の時間帯には無用な加熱や冷却を防止できるので、省エネルギ化を図ることができる等、有用である。
【符号の説明】
【０１００】
２  飲料水供給装置
３  筐体
４  飲料水
６  ガロンボトル
８  受水口
１０  冷水タンク
２０  冷水センサ
２２  冷却装置
４０  温水タンク
４２  温水ヒータ
４６  給水管
５４  温水センサ
６４  制御装置
１０４  高温設定スイッチ
【図１】
2011096290.tif 000003
【図２】
2011096290.tif 000004
【図３】
2011096290.tif 000005
【図４】
2011096290.tif 000006
【図５】
2011096290.tif 000007
【図６】
2011096290.tif 000008
【図７】
2011096290.tif 000009
【図８】
2011096290.tif 000010